(57)【要約】【課題】  簡易な構成でありながら複数の樹脂成形体の浮揚を確実に規制することのできる地下貯水設備を提供することを課題とする。【解決手段】  積み重ねられた複数の樹脂成形体が地中に配設されるとともに、積み重ねられた複数の樹脂成形体の少なくとも外周が遮水シートで被覆されて樹脂成形体間に貯水空間が形成された地下貯水槽を備え、該地下貯水槽上が覆い隠された地下貯水設備において、複数の樹脂成形体が載置される基体と、基体から上方に向けて延出し、該基体に少なくとも上方側への力を伝達可能に設けられた延出体と、最上の樹脂成形体の少なくとも一部に上方側で対向するように配置されるとともに、前記延出体に少なくとも上方側への力を伝達可能に設けられた浮揚規制体とを備え、前記基体は、複数の樹脂成形体に作用する浮力に対抗可能に構成されていることを特徴とする。【選択図】図１
2009235784.tif 000002
【特許請求の範囲】
【請求項１】
積み重ねられた複数の樹脂成形体が地中に配設されるとともに、積み重ねられた複数の樹脂成形体の少なくとも外周が遮水シートで被覆されて樹脂成形体間に貯水空間が形成された地下貯水槽を備え、該地下貯水槽上が覆い隠された地下貯水設備において、複数の樹脂成形体が載置される基体と、基体から上方に向けて延出し、該基体に少なくとも上方側への力を伝達可能に設けられた延出体と、最上の樹脂成形体の少なくとも一部に上方側で対向するように配置されるとともに、前記延出体に少なくとも上方側への力を伝達可能に設けられた浮揚規制体とを備え、前記基体は、複数の樹脂成形体に作用する浮力に対抗可能に構成されていることを特徴とする地下貯水設備。
【請求項２】
前記地下貯水槽上を覆う床板をさらに備え、該床板は、前記延出体に少なくとも上方側への力を伝達可能に設けられて浮揚規制体とされている請求項１に記載の地下貯水設備。
【請求項３】
前記延出体は、複数の樹脂成形体に挿通されている請求項１又は２に記載の地下貯水設備。
【請求項４】
前記延出体は、下端側が基体に挿入されるとともに該基体に係止される抜止体が設けられている請求項１乃至３の何れか１項に記載の地下貯水設備。
【請求項５】
前記基体は、複数の樹脂成形体に作用する浮力に対抗可能な重量に設定されている請求項１乃至４の何れか１項に記載の地下貯水設備。
【発明の詳細な説明】
【技術分野】
【０００１】
本発明は、雨水を貯留するための地下貯水設備に関し、特には、グランドや、公園、道路、駐車場等の地中に形成された地下貯水槽に雨水を貯留する地下貯水設備に関する。
【背景技術】
【０００２】
従来から、雨水を貯留する貯水設備として、積み重ねられた複数の樹脂成形体が地中に配設されるとともに、該積み重ねられた複数の樹脂成形体の少なくとも外周が遮水シートで被覆された地下貯水槽を備えた地下貯水設備が知られている。
【０００３】
前記複数の樹脂成形体のそれぞれは、何れか一方の面に複数の凸部が形成されており、下側の樹脂成形体の一方の面と上側の樹脂成形体の他方の面とを重ね合わせるように積み重ねることで、上下に重なる樹脂成形体の間に間隔があくようになっている。これにより、複数の樹脂成形体は、上下に積み重ねた上でその周囲（外周）を遮水シートで被覆することで、上下で重なり合う樹脂成形体間に雨水を貯留する貯水空間が形成されるようになっている。
【０００４】
上記構成の地下貯水設備は、地下貯水槽上が覆い隠されている。すなわち、この種の地下貯水設備は、地下貯水槽上が直接覆土されたり、地下貯水槽上に床板（例えば、コンクリート床板）を配設した上で該床板上が覆土されたりすることで、その存在が地上から判らないように設けられる。
【０００５】
これにより、上記構成の地下貯水設備は、地上に何れの構成も存在させることなく貯水できるとして、グランドや公園、道路、駐車場等といった敷地内に設けられている。
【０００６】
ところで、上記構成の地下貯水槽は、その周囲に地下水が湧き出たときに浮揚してしまうといった問題がある。すなわち、上記構成の地下貯水槽は、樹脂成形体間に遮水シートによって地盤側と隔離された貯水空間が形成されているため、該貯水空間内に気体（空気）が存在した状態で周囲の地下水の水位が上昇すると、該貯水空間を画定する複数の樹脂成形体に浮力が生じ、複数の樹脂成形体が浮揚してその上にある土や床板等を持ち上げてしまうといった問題がある。
【０００７】
このような問題を解決するに当り、最上の樹脂成形体上に複数の樹脂成形体に作用する浮力に対抗可能な重量に設定された重量物を載置して複数の樹脂成形体の浮揚を阻止することも考えられるが、このようにすると、積み重ねられた樹脂成形体間の間隔が狭められたり、各樹脂成形体が押し潰されたりすることがあり、適正な貯水空間を形成した状態で維持することができなくなるといった問題がある。
【０００８】
また、周囲の地下水を地下貯水槽内に導くようにした地下貯水設備が提供されている（例えば、特許文献１参照）。かかる地下貯水設備は、地下貯水槽の底を画定する遮水シートに内外を貫通させた開口が形成されるとともに、該開口の周縁部に遮水シートで形成された筒状部が接続されている。そして、地下貯水設備は、地盤（掘削された凹部の底）に下端側を打ち込んで立設された柱体が遮水シートの開口及び筒状部に挿通され、該柱体の上端が樹脂成形体に対して上方側で対向する抑止体に固定されている。
【０００９】
これにより、かかる地下貯水設備は、地下貯水槽内の貯水量が周囲の地下水の水位よりも低くなったときに、遮水シートに形成された開口から地下水を流入させることで、貯水量の増加を図るとともに、地下貯水槽内に水が満たされたときに樹脂成形体が浮揚するのを抑止体で阻止するとされている。
【特許文献１】特開２００１−１０７４０３号公報
【発明の開示】
【発明が解決しようとする課題】
【００１０】
しかしながら、上記公報所載の地下貯水設備は、上述の如く、開口から地下水を流入させる構成であるため、周囲の地下水の水位の上昇で浮力を生じさせにくいが、地下水の水位に対応して筒状部（遮水シート）が上下に伸縮するため、その伸縮に伴って筒状部の劣化が起こりやすく、該筒状部に亀裂が入ったり穴が開いたりしてしまうことがある。そのため、上記公報所載の地下貯水設備では、筒状部に形成された亀裂や穴から貯留すべき水が地盤に流れ込んでしまい、確実な貯水を行うことができないといった問題がある。
【００１１】
また、地下貯水槽内に水が満たされたときに樹脂成形体の浮揚を抑制できるとされているが、抑止体を固定した柱体が周囲に地下水を含んだ軟弱な地盤に打ち込まれるため、樹脂成形体に浮力が生じたときに柱体が抜けてしまい、樹脂成形体の浮揚を確実に防止することができない虞がある。
【００１２】
そこで、本発明は、斯かる実情に鑑み、簡易な構成で複数の樹脂成形体の浮揚を確実に規制することのできる地下貯水設備を提供することを課題とする。
【課題を解決するための手段】
【００１３】
本発明に係る地下貯水設備は、積み重ねられた複数の樹脂成形体が地中に配設されるとともに、積み重ねられた複数の樹脂成形体の少なくとも外周が遮水シートで被覆されて樹脂成形体間に貯水空間が形成された地下貯水槽を備え、該地下貯水槽上が覆い隠された地下貯水設備において、複数の樹脂成形体が載置される基体と、基体から上方に向けて延出し、該基体に少なくとも上方側への力を伝達可能に設けられた延出体と、最上の樹脂成形体の少なくとも一部に上方側で対向するように配置されるとともに、前記延出体に少なくとも上方側への力を伝達可能に設けられた浮揚規制体とを備え、前記基体は、複数の樹脂成形体に作用する浮力に対抗可能に構成されていることを特徴とする。
【００１４】
上記構成の地下貯水設備によれば、周囲の地下水の水位の上昇や貯留する水の水位の上昇によって複数の樹脂成形体が浮揚しようとすると、最上の樹脂成形体が浮揚規制体を上方へ押し上げようとする。そうすると、その押し上げ力（上方側への力）が延出体を介して基体に伝達されることになる。この状態で基体に対して上方側への力、すなわち、該基体を浮き上がらせようとする力が作用するが、基体が上方側への力に対抗することになる結果、浮揚規制体が複数の樹脂成形体の浮揚を規制することになる。これにより、複数の樹脂成形体が地下貯水槽上を覆い隠す土等を持ち上げてしまうことを防止することができる。
【００１５】
そして、上述のように浮揚規制体が樹脂成形体の浮揚を確実に規制するため、樹脂成形体上にその浮揚を規制するための大きな荷重をかける必要がない。これにより、積み重ねられた樹脂成形体間の間隔を狭めたり樹脂成形体を押し潰したりすることがなく、貯水空間を確実に確保することができる。
【００１６】
本発明の一態様として、前記地下貯水槽上を覆う床板をさらに備え、該床板は、前記延出体に少なくとも上方側への力を伝達可能に設けられて浮揚規制体とされてもよい。このようにすれば、浮揚規制体と床板とを別個に設けることなく、床板（浮揚規制体）によって複数の樹脂成形体の浮揚を規制することができる。
【００１７】
本発明の他態様として、前記延出体は、複数の樹脂成形体に挿通されてもよい。このようにすれば、延出体の周囲に樹脂成形体が存在するので、該延出体に上方側への力が伝達可能に設けられた浮揚規制体を確実に最上の樹脂成形体に対向させることができる。これにより、浮揚しようとする樹脂成形体を浮揚規制体で確実に規制することができる。
【００１８】
本発明の別の態様として、前記延出体は、下端側が基体に挿入されるとともに該基体に係止される抜止体が設けられてもよい。このようにすれば、樹脂成形体が浮揚規制体を押し上げようとしても、延出体が基体から引き抜かれることがなく、樹脂成形体の浮力に対して基体を確実に対抗させることができる。
【００１９】
本発明のさらに別の態様として、前記基体は、複数の樹脂成形体に作用する浮力に対抗可能な重量に設定されてもよい。このようにすれば、基体を杭や基礎ボルト等を用いて地盤に固定しなくても、樹脂成形体に作用する浮力に対して対抗することができる。
【発明の効果】
【００２０】
以上のように、本発明に係る地下貯水設備によれば、簡易な構成で複数の樹脂成形体の浮揚を確実に規制することができるという優れた効果を奏し得る。
【発明を実施するための最良の形態】
【００２１】
以下、本発明の一実施形態に係る地下貯水設備について、添付図面を参照しつつ説明する。
【００２２】
本実施形態に係る地下貯水設備は、グランドや公園、道路等の地中に設けられるもので、図１及び図２に示す如くともに、積み重ねられた複数の樹脂成形体１００…の少なくとも外周が遮水シートＳ１で被覆されて樹脂成形体１００…間に貯水空間Ａが形成された地下貯水槽１０と、地下貯水槽１０上を覆う床板２０とを備えており、該床板２０上が土Ｅで覆われている（覆土されている）。
【００２３】
そして、本実施形態に係る地下貯水設備１は、複数の樹脂成形体１００…の浮揚を規制する手段として、複数の樹脂成形体１００…が載置される基体３０と、基体３０から上方に向けて延出し、該基体３０に少なくとも上方側への力を伝達可能に設けられた延出体４０と、最上の樹脂成形体１００の少なくとも一部に上方側で対向するように配置されるとともに、前記延出体４０に少なくとも上方側への力を伝達可能に設けられた浮揚規制体５０とを備えている。
【００２４】
本実施形態に係る地下貯水槽１０は、掘削して形成された凹部（図示しない）内に基体３０を設置し、該基体３０上に複数の樹脂成形体１００…を積み重ね、基体３０とともに複数の樹脂成形体１００…を遮水シートＳ１で包み込んだ上で、その周囲に土を埋め戻すことで形成されている。すなわち、本実施形態に係る地下貯水槽１０は、掘削された凹部の底面に敷設された遮水シートＳ１上に基体３０を設置するとともに、該基体３０上に複数の樹脂成形体１００…を積み重ねた後に、遮水シートＳ１で基体３０及び複数の樹脂成形体１００…の周囲を包み込み、該遮水シートＳ１の周囲（基体３０及び複数の樹脂成形体１００…の周囲）に土を埋め戻すことで形成されている。
【００２５】
従って、本実施形態に係る地下貯水槽１０は、基体３０の下面と、該基体３０の周囲（外周）及び複数の樹脂成形体１００…が積み重ねられた積層体１５の周囲（外周）とが、遮水シートＳ１に包囲された状態になっている。かかる遮水シートＳ１は、透水性のないシート（例えば、ゴムシートや樹脂シート等）で構成されており、上述の如く、積層体１５の周囲（外周）を被覆することで、樹脂成形体１００…間の空間を外部と遮断して水を貯水できる貯水空間Ａとして画定している。また、遮水シートＳは、周囲に土を埋め戻す際に、積み重ねた樹脂成形体１００…間（貯水空間Ａ）内に土が流れ込んでしまうことを防止する役目も担っている。
【００２６】
本実施形態に係る地下貯水設備１は、図１に示す如く、地下貯水槽１０（積み重ねられた複数の樹脂成形体１００…）に隣接するように枡６０が立設されており、地下貯水槽１０内と枡６０内とを流体的に連通させている。これにより、枡６０から地下貯留槽１０へ水を流入させることができるとともに、地下貯水槽１０から枡６０に水を排出できるようになっている。なお、図１においては、遮水シートＳ１を貫通して枡６０内と地下貯水槽１０内とを連通させているが、例えば、枡６０と複数の樹脂成形体１００…とを一緒に遮水シートＳ１で被覆すれば、枡６０と樹脂成形体１００…との間に遮水シートＳ１を介在させることなく両者を連通させた状態にすることができる。そして、該枡６０には、所定水位になったときに水を排出させるためのオーバーフロー管６１が地表近傍となる上部に接続されている。
【００２７】
前記複数の樹脂成形体１００…は、積み重ねられたときに、上下で重なり合う樹脂成形体１００…間に水を貯留する貯水空間Ａが形成されるように形状設定されている。本実施形態に係る樹脂成形体１００…は、図３（ａ）、図３（ｂ）及び図３（ｃ）に示す如く、一方の面に複数の凸部１０２…が形成されており、上下で重なり合う一方の樹脂成形体１００…の一方の面と他方の樹脂成形体１００…の他方の面とを重ね合わせることで、樹脂成形体１００…間に貯水空間Ａが形成されるようになっている。
【００２８】
前記凸部１０２…の配置や形状は、種々設定可能であるが、本実施形態に係る樹脂成形体１００…について言えば、各凸部１０２は、上方に向けて先細りした箱状（角錐台状）に形成されている。そして、本実施形態に係る樹脂成形体１００は、複数の凸部１０２…が平面視においてマトリックス状に配置されている。すなわち、樹脂成形体１００…は、複数の凸部１０２…が一列をなす凸部群１０１ａ，１０１ｂ，１０１ｃ，１０１ｄが複数列形成されている。
【００２９】
そして、本実施形態に係る樹脂成形体１００…は、各凸部群１０１ａ，１０１ｂ，１０１ｃ，１０１ｄを構成するために一列をなす各凸部１０２…の整列方向の両側に各凸部１０２…よりも小さな突出量で突出した支持部１０３が形成されている。さらに、該樹脂成形体１００は、他方の面に凸部１０２を挿入させる開口（図示しない）が形成されるとともに、該開口に対して凸部群１０１ａ，１０１ｂ，１０１ｃ，１０１ｄの並列方向の両側に前記支持部１０３を嵌合させる複数の凹部１０４が形成されている。かかる開口及び凹部１０４は、凸部１０２及び支持部１０３の配置に対応して形成されている。
【００３０】
これにより、複数の樹脂成形体１００…は、積み重ねていくに際して順々に面方向（水平面）に沿って９０°回転させて配置することで、図４に示す如く、下側の樹脂成形体１００…の支持部１０３に上側の樹脂成形体１００…の他方の面側に形成される凸部（一方の面側の凸部群１０１ａ，１０１ｂ，１０１ｃ，１０１ｄ間に対応する部分）１０５が載り、図５に示す如く、その上側の樹脂成形体１００…の凸部１０２がそれに更に重ねられた別の樹脂成形体１００…の前記開口に進入し、凸部１０２の両側ある支持部１０３が凹部１０４に嵌合された状態になるようになっている。これにより、複数の樹脂成形体１００…は、積み重ねられた状態で上下方向で対向する面の全面が密接することなく、上下に重なり合う樹脂成形体１００…間に貯水空間Ａを形成できるようになっている。
【００３１】
図３（ａ）に戻り、各樹脂成形体１００には、上下に貫通した通水穴１０６が形成されており、積み重ねた状態で樹脂成形体１００を境にして形成される貯水空間Ａ，Ａ同士を連通させるようにもなっている。
【００３２】
そして、本実施形態に係る樹脂成形体１００…のそれぞれには、前記延出体４０を挿通するための貫通穴１０７が所定位置に形成されている。本実施形態においては、複数の凸部１０２のそれぞれの頂面に穿設されている。本実施形態に樹脂成形体１００は、上述の如く、積み重ねていくに際に順々に面方向に沿って９０°回転させるため、前記貫通穴１０７は、積み重ねる際の樹脂成形体１００…の回転中心を中心とした一定半径の円（図示じない）上に配置されている。なお、図３（ａ）に示す樹脂成形体１００は、凸部１０２が平面視において縦横に四つずつ設けられているので、平面中心周りにある四つの凸部１０２の貫通穴１０７が前記平面中心を中心にした第一の円Ｃ１上に位置し、前記四つの凸部１０２と直列的に並ぶ八つの凸部１０２の貫通穴１０７が前記平面中心を中心にして前記第一の円Ｃ１の直径よりも大きな直径の第二の円Ｃ２上に位置し、四隅にある凸部１０２の貫通穴１０７が前記平面中心を中心にして前記第二の円Ｃ２の直径よりも大きな直径の第三の円Ｃ３上に位置している。
【００３３】
これにより、複数の樹脂成形体１００…を積み重ねる際に、該積み重ね方向に延びる中心線周りで順々に９０°回転させても、積み重ねられた複数の樹脂成形体１００のそれぞれの貫通穴１０７が積み重ね方向で全てが連なり、延出体４０を積層体１５（複数の樹脂成形体１００…）に挿通させることができるようになっている。なお、このように一つの樹脂成形体１００に複数の貫通穴１０７を形成しても、必ずしも全ての貫通穴１０７に延出体４０を挿通させる必要はなく、図１及び図２に示す如く、少なくとも何れか一つの貫通穴１０７に延出体４０を挿通させればよい。但し、上方側への力に対して単一な延出体４０では強度が不足するような場合、延出体４０を複数設けて複数の貫通穴１０７に挿通させ、上方側への力に対抗できる強度を確保することは勿論のことである。
【００３４】
図１及び図２に戻り、前記床板２０は、地下貯水槽１０の上面の略全面を覆えるサイズに設定される。そして、床板２０は、金属製又はコンクリート製のプレート材で構成することができ、本実施形態においては、基体３０と同様に予めプレート状に成形されたコンクリート床板を採用している。
【００３５】
前記基体３０は、複数の樹脂成形体１００…に作用する浮力に対抗可能に構成されている。該基体３０は、金属、コンクリート、或いは、鉄筋コンクリート等で構成され、本実施形態では、複数の樹脂成形体１００…に作用する浮力に対抗可能に重量設定されている。本実施形態に係る基体３０は、平面視略矩形状をなすプレート状に予め形成されたコンクリート床板で構成されている。
【００３６】
前記基体３０は、複数の樹脂成形体１００…を積み重ねた複数の積層体１５を平面視において一列又は複数列で配置できるように構成され、本実施形態に係る基体３０は、複数の積層体１５…を縦横に二列以上配置できるようになっている。すなわち、本実施形態に係る基体３０は、複数の積層体１５を平面視においてマトリックス状に配置できるように形成されている。
【００３７】
そして、本実施形態に係る基体３０は、図２に示す如く、積層体１５の配置に対応して前記延出体４０が挿入される貫通穴３００が上下に貫通して形成されている。本実施形態に係る基体３０は、上述の如く、積層体１５が平面視においてマトリックス状に配置されるため、貫通穴３００も積層体１５の配置に対応してマトリックス状に配置されている。さらに、本実施形態においては、基体３０の他方の面に後述する抜止体４００を収容するザグリ３１０が貫通穴３００に対応して形成されている。従って、該ザグリ３１０についても、基体３０の下面に対してマトリックス状に配置されている。
【００３８】
前記延出体４０には、金属製の棒材、チェーンやワイヤー等の索条等を採用することができ、本実施形態に係る延出体４０は、金属製の棒材（異形棒鋼）で構成されている。そして、該延出体４０は、基体３０上に積み重ねられた複数の樹脂成形体１００…（前記貫通穴１０７）に挿通されており、上端側が最上の樹脂成形体１００…から上方に突出するように設けられている。そして、延出体４０（棒材）が定寸に設定されることから、樹脂成形体１００…の積み重ねられる数（高さ）によっては、延出体４０の上端側が最上の樹脂成形体１００…から上方に突出できない場合があるが、このような場合には、基体３０から延出した棒材（延出体４０）に対して別の棒材（延出体４０）を足すことで最上の樹脂成形体１００…から該棒材の上端側を突出させるようになっている。
【００３９】
かかる棒材（延出体４０）同士の連結は、例えば、一方の棒材（延出体４０）の端部に雄ネジを形成し、他方の棒材（延出体４０）の端部に前記雄ネジに螺合可能な雌ネジを形成し、これらを螺合して一本の延出体４０としたり、両方の棒材の端部にフランジを設けて両フランジをボルト／ナットで締結して一本の延出体４０としたりしてもよい。
【００４０】
そして、延出体４０は、基体３０に対して抜け止めされて取り付けられる。すなわち、該延出体４０の一端（下端）側には、基体３０に対して係止可能な抜止体４００が設けられ、基体３０から上方へ抜けることが防止されている。本実施形態においては、基体３０に形成された貫通穴３００に一端（下端）側が挿通され、基体３０の他方の面（下面）から延出する端部に抜止体４００が取り付けられている。該抜止体４００は、基体３０の下面と対向する部位が貫通穴３００の穴径よりも大きく設定された金属プレートで構成されており、前記ザグリ３１０内に収容されるようになっている。該抜止体４００は、延出体４０の下端が溶接されており、延出体４０に対して上方に引き抜き力が作用したときに基体３０（ザグリ３１０の内面）に係止されるようになっている。
【００４１】
前記浮揚規制体５０は、上述の如く、最上の樹脂成形体１００…に対して上方側で対向するように配置される。そして、上述の如く、積層体１５が基体３０上にマトリックス状に配置されることから、浮揚規制体５０は、積層体１５毎に設けられたり、複数の積層体１５に跨るように設けられたりする。本実施形態においては、上述の如く、地下貯水槽１０上に配設される床板２０を備えているため、該床板２０を浮揚規制体５０として採用するようにしている。すなわち、床板２０は、地下貯水槽１０上に配設されることで、各積層体１５の最上の樹脂成形体１００…と対向した状態となることから、本実施形態においては複数の樹脂成形体１００…の浮揚を規制する浮揚規制体５０として用いられている。なお、本実施形態において、床板２０と浮揚規制体５０とは同一のものであるため、以下の説明において、特に断り無く浮揚規制体５０を床板２０ということがある。
【００４２】
浮揚規制体５０は、浮揚しようとする樹脂成形体１００…が床板２０（又は、覆土）を持ち上げないように、積み重ねられた複数の樹脂成形体１００…の最上のものが所定レベル以上に浮揚することを規制できればよく、最上の樹脂成形体１００…に対して間隔をあけて配置されてもよいし、最上の樹脂成形体１００…に接近するように配置されてもよい。本実施形態においては、最上の樹脂成形体１００…上に下地シートＳ２を配置し、該下地シートＳ２に浮揚規制体５０を接触させるように配置している。なお、樹脂成形体１００の積み重ね高さによっては、最上の樹脂成形体１００と浮揚規制体５０との間に間隙が形成されることがあるが、このような場合には、図２に示す如く、樹脂成形体１００と浮揚規制体５０との間に隙間を埋める樹脂製のスペーサＢを介装するようにしている。
【００４３】
そして、浮揚規制体５０（床板２０）は、最上の樹脂成形体１００…から上方に突出した延出体４０に対し、上方への力を伝達可能に設けられている。本実施形態において、前記床板２０は、最上の樹脂成形体１００（下地シートＳ２）から延出した延出体４０との干渉を防止するように、延出体４０の上端部が挿入された状態になっている。
【００４４】
床板２０（浮揚規制体５０）に作用する上方側への力を延出体４０に伝達可能にするには、例えば、床板２０に挿入された延出体４０にナットを螺合したり、床板２０に挿入した延出体４０と床板２０の上面に配置した抜止材とを連結したりすることでできるが、本実施形態においては、延出体４０に異形棒鋼を採用しているため、床板２０に穿設した穴（図示しない）に延出体４０を挿入するとともに該穴にコンクリートを充填することで、延出体４０と床板２０とを抜け止めしつつ一体的に連結している。そして、床板２０上が覆土されることで、地下貯水設備１が地上で何らの構成を存在させない状態となっている。
【００４５】
本実施形態に係る地下貯水設備１は、以上の構成からなり、次に作用について説明する。貯水空間Ａ内に気体が残った状態（水の量が少ない状態又は水がない状態）で、雨水の浸透等によって地下水の水位が上昇すると、地下貯水槽１０が地下水に浸漬した状態になり、積層体１５に浮力が生じることになる。そうすると、本実施形態に係る地下貯水設備１は、浮揚規制体５０が最上の樹脂成形体１００…と対向するように設けられているため、浮揚しようとする積層体１５の最上の樹脂成形体１００…が浮揚規制体５０を上方に押し上げようとするが、浮揚規制体５０が延出体４０に連結されているため樹脂成形体１００…の浮力に対して対抗した状態となる。
【００４６】
そうすると、延出体４０が基体３０に対して抜け止めされていることから、複数の樹脂成形体１００…に作用する浮力が基体３０を持ち上げるようにも作用するが、基体３０が樹脂成形体１００…に作用する浮力に対抗できる重量に設定されているため、基体３０の浮き上がりが規制される。本実施形態に係る地下貯水設備１は、浮揚規制体５０として重量のある床板２０を採用しているため、基体３０の重量のみならず床板２０の重量も複数の樹脂成形体１００…の浮力に対抗するように作用する。これにより、地下貯水槽１０内の水位が高くなっても複数の樹脂成形体１００…の浮揚を確実に規制することができる。
【００４７】
そして、雨水が枡６０を介して地下貯水槽１０内に流れ込んでくると、地下貯水槽１０内の水位が上昇し、積み重ねられた複数の樹脂成形体１００…が下側から順々に浸漬されていくことになる。
【００４８】
そして、樹脂成形体１００…の比重が水の比重よりも小さいと、地下貯水槽１０内の水に浸漬される樹脂成形体１００…の数が増えるにつれて、浮力が増していき、最終的に積み重ねられた複数の樹脂成形体１００…（積層体１５）の略全体が浮揚しようとする。この場合においても、浮揚しようとする積層体１５の最上の樹脂成形体１００…が浮揚規制体５０を上方に押し上げようとするが、浮揚規制体５０が延出体４０を介して基体３０に接続されているため、複数の樹脂成形体１００…の浮揚が確実に規制されることになる。
【００４９】
そして、本実施形態に係る地下貯水設備１は、地下貯水槽１０に隣接して配置された枡６０が地下貯水槽１０と流体的に接続されているため、許容貯水量を超えると地下貯水槽１０内の水が枡６０に流れ込み、枡６０が所定水位よりも高くなるとオーバーフロー管６１を介して排出されることになる。
【００５０】
以上のように、本実施形態に係る地下貯水設備１によれば、周囲を遮水シートＳ１で被覆した積層体１５（複数の樹脂成形体１００…）を載置する基体３０と、基体３０から上方に向けて延出し、該基体３０に少なくとも上方側への力を伝達可能に設けられた延出体４０と、最上の樹脂成形体１００…の少なくとも一部に上方側で対向するように配置されるとともに、前記延出体４０に少なくとも上方側への力を伝達可能に設けられた浮揚規制体５０とを備え、前記基体３０は、複数の樹脂成形体１００…に作用する浮力に対抗可能に構成されているので、必要な水を確実に貯留することができ、簡易な構成で複数の樹脂成形体の浮揚を確実に規制することができる。
【００５１】
また、地下貯水槽１０上を覆う床板２０を備え、該床板２０は、前記延出体４０に少なくとも上方側への力を伝達可能に設けられて浮揚規制体５０とされているので、浮揚規制体５０と床板２０とを別個に設ける必要がない上に、基体３０に加えて床板２０（浮揚規制体５０）の重量も複数の樹脂成形体１００…の浮揚に対する規制に貢献させることができる。
【００５２】
さらに、前記延出体４０は、複数の樹脂成形体１００…に挿通されているので、延出体４０の周囲に樹脂成形体１００が存在することになり、該延出体４０に上方側への力が伝達可能に設けられた浮揚規制体５０を確実に最上の樹脂成形体１００に対向させることができる。これにより、浮揚しようとする樹脂成形体１００を浮揚規制体５０で確実に規制することができる。
【００５３】
また、前記延出体４０は、下端側が基体３０に挿入されるとともに該基体３０に係止される抜止体４００が設けられているので、樹脂成形体１００が浮揚規制体５０を押し上げようとする力が作用しても、延出体４０が基体３０から引き抜かれることがなく、樹脂成形体１００の浮力に対して基体３０を確実に対抗させることができる。
【００５４】
そして、前記基体３０は、複数の樹脂成形体１００…に作用する浮力に対抗可能な重量に設定されているので、基体３０を杭や基礎ボルト等を用いて地盤に固定しなくても、樹脂成形体１００に作用する浮力に対して対抗することができる。
【００５５】
尚、本発明の地下貯水設備は、上記実施形態に限定されるものではなく、本発明の要旨を逸脱しない範囲内において種々変更を加え得ることは勿論である。
【００５６】
上記実施形態において、延出体４０の下端にプレート状の抜止体４００を溶接し、基体３０の下面に形成したザグリ３１０に抜止体４００を収容することで、延出体４０の抜け止めを行ったが、これに限定されるものではなく、例えば、図６に示す如く、抜止体４００をザグリ３１０内に収容することなく基体３０の下面に直接接触させるようにしてもよい。すなわち、基体３０にザグリ３１０を設けずに抜止体４００を基体３０の下面に係止させるようにしてもよい。また、基体３０をコンクリートで形成する場合には、コンクリートをプレート状に成形するに当たり、延出体４０の下端に予め連結した抜止体４００を固化前のコンクリートに埋設しておき、基体３０の成形（コンクリートの固化）と併せて延出体４０の連結を行うようにしてもよい。
【００５７】
上記実施形態において、延出体４０の下端にプレート状の抜止体４００を溶接したが、これに限定されるものではなく、例えば、基体３０に挿通した延出体４０の下端部をプレート状の抜止体４００に挿通し、該下端部にナットＮを螺合して抜止体４００を取り付けるようにしてもよい。この場合、図７に示す如く、延出体４０に螺合した二つのナットＮ，Ｎで抜止体４００を挟み込むようにして取り付けてもよいし、図８に示す如く、抜止体４００が延出体４０から脱落しないように該延出体４０の下端のみにナットＮを螺合してもよい。
【００５８】
上記実施形態において、延出体４０の上端部を床板２０の穴に挿入し、該穴にコンクリートを充填することでこれらを連結するようにしたが、これに限定されるものではなく、例えば、図７〜図９に示す如く、床板２０（浮揚規制体５０）に延出体４０を貫通させ、床板２０の上面から突出した延出体４０にナットＮを螺合するようにしてもよい。また、図７に示す如く、床板２０とナットＮとの間に座金Ｐを介装しても勿論よい。
【００５９】
かかる構成は、床板２０を浮揚規制体５０としたときに限定されるものではなく、後述のように床板２０とは異なる部材で浮揚規制体５０を構成したときも同様である。
【００６０】
上記実施形態において、地下貯水槽１０の上部を閉塞する床板２０を浮揚規制体５０として兼用するようにしたが、これに限定されるものではなく、例えば、図１０に示す如く、床板２０と延出体４０とを連結せずに、床板２０とは別に浮揚規制体５０を設けてもよい。この場合においても、浮揚規制体５０は、最上の樹脂成形体１００…と対向するように配置されるとともに前記延出体４０に少なくとも上方側への力を伝達可能に設けられることは勿論のことである。
【００６１】
そして、浮揚規制体５０は、延出体４０に連結されていれば板材や棒材等の何れのものでもよい。すなわち、樹脂成形体１００…が浮揚しようとするときに、最上の樹脂成形体１００…の上面に係止可能な態様であれば種々の形状を採用することができる。また、浮揚規制体５０は複数の樹脂成形体１００…（積層体１５）に跨るように形成されたものに限定されるものではなく、積層体１５毎に設けても勿論よい。
【００６２】
上記実施形態において、地下貯水槽１０上に配設される床板２０を備え、該床板２０上を覆土するようにしたが、これに限定されるものではなく、例えば、床板２０を備えることなく、地下貯水槽１０（内部に積み重ねられた複数の樹脂成形体１００…）を直接覆土するようにしてもよい。すなわち、最上の樹脂成形体１００に直接覆土してもよいし、最上の樹脂成形体１００…上に下地シートＳ２を配置した上で覆土してもよい。この場合、浮揚規制体５０としての床板２０を備えていないので、上述のように床板２０とは別の浮揚規制体５０を設ける場合と同様にすればよい。
【００６３】
上記実施形態において、延出体４０を積み重ねられた複数の樹脂成形体１００…に挿通させたが、これに限定されるものではなく、例えば、図１１に示す如く、基体３０から上方に延びる少なくとも一対の延出体４０を積み重ねられた複数の樹脂成形体１００…の両側に位置するように設け、浮揚規制体５０を最上の樹脂成形体１００…に上方側で対向するように配置し、一対の延出体４０を浮揚規制体５０に連結するようにしてもよい。このようにしても、浮揚しようとする複数の樹脂成形体１００…の浮力（上向きの力）を浮揚規制体５０及び一対の延出体４０を介して基体３０に伝えることができ、基体３０によって樹脂成形体１００…の浮力に対抗することができる。
【００６４】
また、延出体４０としての棒材を樹脂成形体１００…に隣接して配置するとともに、浮揚規制体５０を延出体４０からその軸線と直交方向に延出させ、最上の樹脂成形体１００…に対向させるようにしてもよい。このようにすれば、浮揚しようとする樹脂成形体１００…が浮揚規制体５０に係止される結果、これらの浮揚を規制することができる。この場合、積み重ねられた複数の樹脂成形体１００…（積層体１５）の周囲に間隔をあけて二つ以上の延出体４０を設けるとともに、それぞれの延出体４０に浮揚規制体５０を連結することで、最上の樹脂成形体１００…の浮揚を複数の浮揚規制体５０で規制することができる。
【００６５】
上記実施形態において、基体３０にコンクリート製のものを採用したが、これに限定されるものではなく、金属製のプレートであってもよい。この場合、基体３０に対して上方側への力を伝達可能に延出体４０を接続する態様としては、上記実施形態と同様に基体３０に挿通した延出体４０の下端に抜止体４００を接続したり、延出体４０の下端側を基体３０に挿通して基体３０の下面から突出した端部にナットＮを螺合したりしてもよい。また、基体３０の上面に延出体４０の下端を溶接したり、延出体４０の下端にフランジを接続し、該フランジを基体３０の上面にネジ固定したりしてもよい。
【００６６】
上記実施形態において、予め成形されたコンクリート床板を基体３０に採用したが、これに限定されるものではなく、例えば、複数の樹脂成形体１００…を積み重ねる前に掘削した凹部内にコンクリートを打設して基礎を構築し、該基礎（基礎コンクリート）を基体３０にして複数の樹脂成形体１００…を積み重ねるようにしてもよい。このように基礎コンクリートを基体３０とする場合には、地盤に打ち込んだ杭と一体的に基礎コンクリート（基体３０）を形成してもよい。このようにすれば、地盤に打ち込んだ杭の耐引抜力が複数の樹脂成形体１００…の浮力に対抗するように作用することになるため、基礎コンクリートの重量を樹脂成形体１００…に作用する浮力に対抗する重量に必ずしも設定する必要がなくなる。但し、地下貯水設備１を設置する場所が軟弱地盤等である場合もあるため、基礎コンクリートを樹脂成形体１００…に作用する浮力に対抗する重量にしておくことが好ましい。
【００６７】
上記実施形態において、延出体４０を異形棒鋼で構成したが、これに限定されるものではなく、例えば、単なる丸棒であってもよい。この場合、表面に凹凸がないため、上記実施形態のようにコンクリートを介して床板２０に連結することが困難であるため、上述の如く、図７及び図８に示す態様を採用すればよい。なお、上記実施形態のように延出体４０に異形棒鋼を採用しても、その端部をネジ加工しておけば、図９に示す如く、ナットＮで床板２０（浮揚規制体５０）や基体３０に連結することができる。
【００６８】
そして、上記実施形態において、延出体４０を棒材で構成したが、これに限定されるものではなく、例えば、チェーンやワイヤーロープ等の索条を延出体４０として採用してもよい。この場合も、延出体４０の一端側を基体３０に対して抜け止めして連結することは勿論のことである。
【００６９】
上記実施形態において、基体３０に延出体４０を挿通し、基体３０の下面側で抜け止めするようにしたが、これに限定されるものではなく、例えば、延出体４０の下端にフランジを連結し、該フランジを基体３０の上面に対してネジ固定するようにしてもよい。この場合、ネジ固定による耐力を樹脂成形体１００…に作用する浮力以上のものにすることは言うまでもない。また、浮揚規制体５０と延出体４０との連結も同様である。
【００７０】
上記実施形態において、基体３０とともに複数の樹脂成形体１００…を遮水シート（遮水シート）Ｓ１で被覆するようにしたが、これに限定されるものではなく、例えば、積み重ねられる複数の樹脂成形体１００…（積層体１５）の外周のみを遮水シートＳ１で被覆したり、複数の樹脂成形体１００…（積層体１５）及び基体３０の外周のみを遮水シート１で被覆したりしてもよい。
【図面の簡単な説明】
【００７１】
【図１】本発明の一実施形態に係る地下貯水設備の概略断面図を示す。
【図２】同実施形態に係る地下貯水設備の一部を省略した部分拡大断面図を示す。
【図３】同実施形態に係る地下貯水設備に採用される樹脂成形体の説明図であって、（ａ）は、平面図を示し、（ｂ）は、（ａ）のＸ矢視図を示し、（ｃ）は、（ａ）のＹ矢視図を示す。
【図４】同実施形態に係る地下貯水設備の樹脂成形体を積み重ねた状態の一部の断面図を示す。
【図５】同実施形態に係る地下貯水設備の樹脂成形体を積み重ねた状態の一部の断面図を示す。
【図６】本発明の他実施形態に係る地下貯水設備の概略断面図を示す。
【図７】本発明の別の実施形態に係る地下貯水設備の概略断面図を示す。
【図８】本発明のさらに別の実施形態に係る地下貯水設備の概略断面図を示す。
【図９】本発明のさらに別の実施形態に係る地下貯水設備の概略断面図を示す。
【図１０】本発明のさらに別の実施形態に係る地下貯水設備の概略断面図を示す。
【図１１】本発明のさらに別の実施形態に係る地下貯水設備の概略断面図を示す。
【符号の説明】
【００７２】
１…地下貯水設備、１０…地下貯水槽、１５…積層体、２０…床板、３０…基体、４０…延出体、５０…浮揚規制体、６０…枡、６１…オーバーフロー管、１００…樹脂成形体、１０１ａ，１０１ｂ，１０１ｃ，１０１ｄ…凸部群、１０２…凸部、１０３…支持部、１０４…凹部、１０６…通水穴、１０７…貫通穴、３００…貫通穴、３１０…ザグリ、４００…抜止体、Ａ…貯水空間、Ｂ…スペーサ、Ｅ…土、Ｎ…ナット、Ｐ…座金、Ｓ１…遮水シート、Ｓ２…下地シート
【図１】
2009235784.tif 000003
【図２】
2009235784.tif 000004
【図３】
2009235784.tif 000005
【図４】
2009235784.tif 000006
【図５】
2009235784.tif 000007
【図６】
2009235784.tif 000008
【図７】
2009235784.tif 000009
【図８】
2009235784.tif 000010
【図９】
2009235784.tif 000011
【図１０】
2009235784.tif 000012
【図１１】
2009235784.tif 000013